(57)【要約】  本発明は、ハウジング１１と、その中に配置されて設置又は打撃衝撃を生成する作業機１２と、設置又は打撃衝撃を検出するための検出装置２０、１２０とを備えた、支持面に留め具を打ち込む設置工具１０に関する。検出装置は、電子処理装置１３０と、設置又は打撃衝撃の発生に伴い電気信号を生成するセンサ１４０と、センサから電子処理装置に電気信号を送信する信号送信装置１５０と、電子処理装置に電気エネルギーを供給するバッテリ１６０と、電子処理装置、センサ、及びバッテリが配置されたプリント回路基板１００とを有する。本発明は、プリント回路基板に、電子処理装置、センサ、及びバッテリを被覆する埋め込み用樹脂２１０が設けられている、ことを特徴とする。【選択図】図２
2019520995.tif 000002
【特許請求の範囲】
【請求項１】
ハウジングと、その中に配置されて設置又は打撃衝撃を生成する作業機と、前記設置又は打撃衝撃を検出するための検出装置とを備えた、支持面（被打ち込み面）に留め具を打ち込む設置工具であって、前記検出装置は、電子処理装置と、設置又は打撃衝撃の発生に伴い電気信号を生成するセンサと、前記センサから前記電子処理装置に前記電気信号を送信する信号送信装置と、前記電子処理装置に電力を供給するバッテリと、前記電子処理装置、前記センサ、及び前記バッテリが配置されたプリント回路基板とを備え、前記プリント回路基板に、前記電子処理装置、前記センサ、及び前記バッテリを被覆する埋め込み用樹脂が設けられている、ことを特徴とする設置工具。
【請求項２】
前記埋め込み用樹脂が前記電子処理装置、前記センサ、及び前記バッテリを完全に被覆する、ことを特徴とする請求項１に記載の設置工具。
【請求項３】
前記埋め込み用樹脂が前記信号送信装置を被覆、特にそれを完全に被覆し、前記信号送信装置は特に前記プリント回路基板に設置されている、ことを特徴とする請求項１又は２に記載の設置工具。
【請求項４】
前記センサが１方向加速度センサとして構成される、ことを特徴とする請求項１乃至３の何れか１つに記載の設置工具。
【請求項５】
前記センサは、設置又は打撃衝撃の発生に伴い前記電気信号を生成するピエゾ要素を備える、ことを特徴とする請求項１乃至４の何れか１つに記載の設置工具。
【請求項６】
前記検出装置は、ブルートゥース（登録商標）低消費電力又は近距離通信標準に準拠するデータ通信用の１つ又はそれ以上のインターフェイスを備える、ことを特徴とする請求項１乃至５の何れか１つに記載の設置工具。
【請求項７】
前記検出装置がＲＦＩＤ（無線ＩＣタグ）標準に準拠するデータ通信用の１つ又はそれ以上のインターフェイスを備える、ことを特徴とする請求項１乃至６の何れか１つに記載の設置工具。
【請求項８】
前記検出装置が受動ディスプレイを備える、ことを特徴とする請求項１乃至７の何れか１つに記載の設置工具。
【請求項９】
前記検出装置が入力要素を備える、ことを特徴とする請求項１乃至８の何れか１つに記載の設置工具。
【請求項１０】
前記電子処理装置がマイクロプロセッサ及び／又はメモリを備える、ことを特徴とする請求項１乃至９の何れか１つに記載の設置工具。
【請求項１１】
前記検出装置は、多数の異なる設置又は打撃衝撃回数に係る情報を同時に記憶保存することを目的とするメモリを備える、ことを特徴とする請求項１乃至１０の何れか１つに記載の設置工具。
【請求項１２】
前記ハウジングは、前記検出装置が挿入される分離可能な組立品を備える、ことを特徴とする請求項１乃至１１の何れか１つに記載の設置工具。
【請求項１３】
前記バッテリは、前記検出装置に供給するために配置された、前記設置工具の唯一の電力源であることを特徴とする請求項１乃至１２の何れか１つに記載の設置工具。
【請求項１４】
前記バッテリが１つ又はそれ以上の非充電式一次電池を備える、ことを特徴とする請求項１乃至１３の何れか１つに記載の設置工具。
【請求項１５】
前記バッテリが１つ又はそれ以上の充電式２次電池を備える、ことを特徴とする請求項１乃至１４の何れか１つに記載の設置工具。
【発明の詳細な説明】
【技術分野】
【０００１】
本発明は、留め具を支持面に打ち込むための設置工具に関する。
【発明の概要】
【発明が解決しようとする課題】
【０００２】
かかる設置工具は通常、固体、気体、若しくは液体燃料又は加圧空気若しくは圧縮空気若しくは電気により動作する。設置用プランジャは発火ガスにより燃焼駆動型設置工具で駆動され、留め具を支持面（被打ち込み面）に打ち込むために使用することができる。設置工具の設置動作は、加速度センサにより検出可能であることが知られている。加速度センサは検出装置の一部であり、検出装置には加速度センサに加えてその他の電子部品も備えられている。特に高い打ち込みエネルギーにおいては、それによる高加速が電子部品に衝撃を与える。そのため電子部品は時間の経過とともに緩み、故障することもある。
【課題を解決するための手段】
【０００３】
本発明の目的は、堅牢な検出装置を備えた設置工具を提供することである。
【０００４】
この目的は、ハウジングと、その中に配置されて設置又は打撃衝撃を生成する作業機と、設置又は打撃衝撃を検出するための検出装置とを備えた、支持面（被打ち込み面）に留め具を打ち込むための設置工具により達成される。検出装置は、電子処理装置と、設置又は打撃衝撃の発生に伴い電気信号を生成するセンサと、このセンサから電子処理装置に電気信号を送信する信号送信装置と、電子処理装置に電気エネルギーを供給するバッテリと、プリント回路基板とを有し、電子処理装置、センサ、バッテリ、及びこれらの信号送信装置は好ましくはプリント回路基板に配置される。この回路基板には、電子処理装置、センサ、バッテリ、及び必要に応じて信号送信装置を被覆する埋め込み用樹脂が配置される。この埋め込み用樹脂は、電子処理装置、センサ、バッテリ、及び必要に応じて信号送信装置を完全に被覆することが好ましい。この埋め込み用樹脂により被覆又は完全に被覆される要素はそれぞれの位置に保持され、設置工具の設置作業中に高加速度による衝撃を緩和して減衰するよう装着され得る。
【０００５】
信号送信装置は、電気信号をセンサから電子処理装置へと送信する。このため、信号送信装置は、例えば、有線接続用に特にケーブル型信号線を備えるか、又はワイヤレス接続用に特にブルートゥース（登録商標）低消費電力又は近距離通信標準に準拠して作動する送信機及び受信機を備える。
【０００６】
本発明の一態様では、センサが１方向加速度センサとして構成される。センサは、設置又は打撃衝撃の発生に伴い電気信号を生成するピエゾ要素を備えることが好ましい。スイッチング閾値（Schaltschwelle）が特に好ましく、このスイッチング閾値とは、電子的手段、特に電子処理装置により調節が可能な、設置又は打撃衝撃を検出するための加速度の閾値である。
【０００７】
埋め込み式のバッテリは、特にバッテリが交換できない、又は多大な労力を費やすことのみにより交換が可能となるといった欠点がある。これが特に該当するのは、検出装置に電気エネルギーを供給することを目的として、バッテリが設置工具の唯一の電源である場合、又はバッテリが１つ又はそれ以上の非充電式一次電池を有し、充電式二次電池を有さない場合である。そのため、検出装置は低消費電力部品を備えていると都合がよい。検出装置は、ブルートゥース（登録商標）低消費電力又は近距離通信標準に準拠するデータ通信用のインターフェイスを備えることが好ましい。検出装置は、ＲＦＩＤ（無線ＩＣタグ）標準に準拠するデータ通信用のインターフェイスを備えるとさらに好ましい。検出装置は、受動的な、具体的には非照明ディスプレイを備えるとさらに好ましい。検出装置は、入力要素を備えるとさらに好ましい。電子処理装置は、マイクロプロセッサを備えるとさらに好ましい。
【０００８】
本発明の態様において、検出装置は、多数の異なる設置又は打撃回数に係る情報を同時に記憶保存することを目的とするメモリを備える。例えば、設置作業の総数、次回のクリーニングまでの残りの設置作業数、及び／又は次のメインテナンスまでの残りの設置作業数が記憶保存される。１つの設置作業数のリセット又はバッテリ上がりの発生等の事象が検出され、特に好ましくはメモリに組み込まれたダイアリーに保存することが好ましい。
【０００９】
本発明の態様において、ハウジングは脱着式組立品、特にキャップを有し、そこに検出装置が挿入される。検出装置は、脱着式組立品のみに取り付けられることが好ましい。そして脱着式組立品は、ハウジングの残りの部分に、例えば強くねじ止めされて取り付けられる。
【００１０】
本発明の態様において、バッテリは１つ又はそれ以上の非充電式一次電池を備える。さらなる態様においては、バッテリは、特にワイヤレス接続で充電が可能な１つ又はそれ以上の充電式２次電池を備える。設置工具は、二次電池を充電するために、例えば太陽電池を備える。
【００１１】
本発明のさらなる優位性と構成は、従属項並びに以下の発明の詳細な説明及び図面に記載されている。図面には本発明の実施例が示されている。
【００１２】
図は以下の通りである。
【図面の簡単な説明】
【００１３】
【図１】設置工具を概略的に示す部分断面図である。
【図２】検出装置を示す部分断面図である。
【図３】図２の検出装置を示すさらなる部分断面図である。
【発明を実施するための形態】
【００１４】
図１は、設置工具１０を示す部分断面図である。設置工具１０は、ハウジング１１と、その中に配置された作業機械１２とを有し、その作業機械１２はピストン１５を備えた打ち込み機として構成される。ピストン１５がピストンガイド１４で移動可能に案内され、図面で非表示の打撃手段により駆動されるのは、トリガスイッチ１３、特に設置工具１０のハンドル部１６に配置されたトリガスイッチ１３、さらには任意に設けられた安全スイッチが作動した場合である。設置プロセスにおいて前方向に打ち出されるピストン１５は、ピストンの前に位置する留め具を支持面（被打ち込み面）に打ち込むために用いられる。
【００１５】
かかる設置作業中には、設置工具１０に設置衝撃が作用し、その設置衝撃を検出するために設置工具１０は電子ペーパの形態の受動ディスプレイ２５と押しボタンの形態の入力要素３０とを有する検出装置２０を有する。ハウジング１１は、検出装置２０が挿入されたキャップの形態の脱着式組立品３５を有する。検出装置２０は脱着式組立品３５にのみ取り付けられ、脱着式組立品３５に、例えば、しっかりとねじ止めされる。脱着式組立品そのものがハウジング１１の残りの部分に取り付けられ、ハウジング１１の残りの部分に、例えば、しっかりとねじ止めされる。これによって検出装置２０が脱着式組立品３５とともに容易に交換可能となる。脱着式モジュールは凹部を有し、その凹部を通してディスプレイ２５を見ることができ、入力要素３０に手が届く。
【００１６】
図２及び図３では、それぞれ二つの異なる方向から検出装置１２０を部分断面図で表している。検出装置１２０は、マイクロプロセッサとして形成される電子処理装置１３０が設置されたプリント回路基板１００と、設置又は打撃衝撃の発生に伴い電気信号を生成するセンサ１４０と、センサ１４０から電子処理装置１３０に電気信号を送信するケーブル型信号線として形成される信号送信装置１５０と、電子処理装置１３０に電力を供給するバッテリ１６０とを備える。
【００１７】
センサ１４０は１方向加速度センサとして構成され、ピエゾ要素を備えて設置又は打撃衝撃が設置方向のみに発生する場合に電気信号を生成する。一方、その他の方向での加速度は検出されない。センサ１４０はプリント回路基板１００の直角湾曲部に配置され、この回路基板１００は、例えば、特にＬ字型又はＴ字型のフレキシブルプリントである。センサ１４０のスイッチング閾値（Schaltschwelle）は、信号送信装置１５０経由で電子処理装置１３０により電子的に設定される。例えば、４つの異なるスイッチング閾値が提供され、高中低の設置エネルギー及びピストンの前に釘がないいわゆる空打ち（Leersetzungen）にそれぞれ一つのスイッチング閾値が付与される。
【００１８】
検出装置１２０には省電力部品が備わっており、バッテリ１６０は長寿命である。ブルートゥース（登録商標）低消費電力標準に準拠するデータ通信用のインターフェイス１７０、書き換え可能な受動ＲＦＩＤ（無線ＩＣタグ）トランスポンダ１９０、及び受動ディスプレイ２００がプリント回路基板１００に設置されている。検出装置１２０は、押しボタンとして構成される入力要素１８０をさらに備える。プリント回路基板１００には、電子処理装置１３０、センサ１４０、信号送信装置１５０、バッテリ１６０、インターフェイス１７０、及びＲＦＩＤトランスポンダ１９０を完全に被覆する埋め込み用樹脂２１０が設けられる。結果として、これらの要素はそれぞれの位置に保持され、高加速の衝撃に対しそれを減衰させて衝撃を和らげるよう設置される。
【００１９】
検出装置１２０は、電子処理装置１３０に組み込まれるメモリをさらに備える。メモリは、設置作業の総数、次回のクリーニングまでの残りの設置作業数、及び次のメインテナンスまでの残りの設置作業数のデータを同時に記憶保存することを目的としている。１つの設置作業数のリセット又はバッテリ上がりの発生等の事象が検出されると、メモリに組み込まれたダイアリーに保存することが好ましい。特に、検出された設置作業にはそれぞれタイムスタンプが、例えば、リアルタイムクロックにより付与されるとともに記憶保存され、検出されたデータを読み出すことにより設置工具がいつどのように使用されたかを追跡することができる。
【００２０】
ＲＦＩＤトランスポンダ１９０は、上述の設置作業数及び設置工具の装置データを記憶保存するために用いられる。入力要素１８０が作動する都度、電子処理装置１３０はＲＦＩＤトランスポンダ１９０からの装置データを読み込む一方、電子処理装置１３０に組み込まれたメモリからの現在の設置作業数をＲＦＩＤトランスポンダ１９０に記憶保存する。そのため、製造中にＲＦＩＤトランスポンダ１９０のみに装置データを記憶保存するだけで十分である。さらに、電子処理装置１３０に組み込まれたメモリに記憶保存されたすべてのデータがＲＦＩＤトランスポンダ１９０に記憶保存されるのは、バッテリ故障の際にデータが失われないようにバッテリ１６０の充電レベルが所定の閾値を下回った場合、又は入力要素３０が作動した場合である。電子処理装置１３０を入力要素３０の作動により又はリアルタイムクロックの所定の期間でディープスリープモードから起動し、ディスプレイ２５を更新した後で、ディープスリープモードへと戻す。
【００２１】
記憶保存されたデータには、例えば、クリーニング及びメインテナンスのそれぞれの設置作業の最大数、最後のクリーニングの時間、最後のメインテナンスの時間、バッテリの充電状態、エラーの有無及び該当する場合はエラーコード、１つ又はそれ以上のタイムスタンプ、現在の操作モード、サポートされている操作モード数等が含まれる。
【００２２】
さらに、入力要素１８０が作動された場合、インターフェイス１７０が作動して電子処理装置１３０は無線で遠隔端末に接続が可能となる。これにより遠隔端末による設置工具、好ましくは複数の設置工具の特定及び監視が可能となる。特に、遠隔端末は設置工具の使用状況の追跡並びにクリーニング及びメインテナンスの計画策定に使用することができる。これにより、中断時間の削減が可能となる。消耗品及び注文品を適時に購入するための制御も可能である。
【００２３】
ディスプレイ２００は、特に電圧測定により検出されるバッテリ１６０の充電レベル、設置工具により実行される設置作業の総数、次のメインテナンスまでの残りの設置作業数、次のクリーニングまでの残りの設置作業数、又はインターフェイス１７０が作動中か否か等、広範な情報をユーザーに示す。次のメインテナンスまでの残りの設置作業数はメインテナンス作業員のみが重要な時にゼロのみにリセットすることができる一方、次のクリーニングまでの残りの設置作業数は設置工具をクリーニング作業中に各ユーザーがリセットすることができる。
【００２４】
検出装置は枠に留め付けられると都合がよく、この枠は検出装置を超えて機械的な打撃衝撃を伝達するので、全ての加速（有害且つ検出されるべき）に対し検出装置及び加速度センサに対する減少効果しかない。これは検出装置に機械的保護を提供し、よって加速度センサのスイッチング閾値が適合する。
【図１】
2019520995.tif 000003
【図２】
2019520995.tif 000004
【図３】
2019520995.tif 000005
【国際調査報告】
2019520995.tif 000006
2019520995.tif 000007
2019520995.tif 000008
2019520995.tif 000009
2019520995.tif 000010
2019520995.tif 000011